(57)【特許請求の範囲】
【請求項１】
中心軸に沿って鍵孔を形成した内筒と、この内筒と回動可能に嵌合し、その内周面に、その母線に沿い、かつ中心軸に関し対称的な一対の施錠用係止溝及び一対の解錠用係止溝とを形成した外筒とを有し、夫々シリンダ錠の鍵孔に垂直な複数枚のディスクタンブラーを内筒軸線方向に列設し、合鍵を鍵孔に挿入したとき合鍵の各鍵溝が対応するディスクタンブラーの両端をシアーラインに揃えるようにしたものにおいて、少なくとも１枚のディスクタンブラーの一端の施錠角度位置から解錠角度位置までの移動軌跡内に、当該ディスクタンブラーの一端が係入可能な凹陥部を形成し、以て、ピッキングにより両端をシアーラインに揃えられ、外筒内周面に拘束されつつ解錠方向に回動するディスクタンブラーを凹陥部に落込ませ、以後の内筒の回動を阻止することにより不正解錠を阻止するようにすると共に、この凹陥部の施錠用係止溝側の側部にシアーラインに連なる傾斜部を連設し、以て、内筒を施錠方向に回動させたとき、落とし溝に落込んだタンブラーを傾斜面との楔作用により内筒半径方向に駆動してその両端をシアーラインに揃えることができるようにしたことを特徴とするディスクタンブラー錠。
【請求項２】
中心軸に沿って鍵孔を形成した内筒と、この内筒と回動可能に嵌合し、その内周面に、その母線に沿い、かつ中心軸に関し対称的な一対の施錠用係止溝と、この施錠用係止溝と角度位置を違えて形成された一対の解錠用係止溝とを形成した外筒とを有し、夫々シリンダ錠の鍵孔に垂直な複数枚のディスクタンブラーを内筒軸線方向に列設し、合鍵を鍵孔に挿入したとき合鍵の各鍵溝が対応するディスクタンブラーの両端をシアーラインに揃えるようにしたものにおいて、上記施錠用係止溝と解錠用係止溝の間にこれよりも浅い落とし溝を外筒内周面の母線に沿って形成し、以て、ピッキングにより両端をシアーラインに揃えられ、外筒内周面に拘束されつつ解錠方向に回動するディスクタンブラーを落とし溝に落込ませ、以後の内筒の回動を阻止することにより不正解錠を阻止するようにすると共に、この落とし溝の施錠用係止溝側の側面にシアーラインに連なる傾斜面を連設し、以て、内筒を施錠方向に回動させたとき、落とし溝に落込んだタンブラーを傾斜面との楔作用により内筒半径方向に駆動してその両端をシアーラインに揃えることができるようにしたことを特徴とするディスクタンブラー錠。
【発明の詳細な説明】
【０００１】
【発明の属する技術分野】
この発明は、ディスクシリンダー錠に係り、特にピッキングによる不正解錠を不可能にした新規なディスクシリンダ錠に関する。
【０００２】
【従来の技術】
通常のシリンダ錠は、ディスクシリンダ錠に限らず、特殊な工具を用いての所謂ピッキングによる不正解錠が不可能ではないことは良く知られている。
【０００３】
そこで本出願人は、先に、例えば特願平７−１８８１９２号を以て、ピッキングによる不正解錠を有効に防止し得るシリンダ錠を提案した。
【０００４】
このシリンダ錠は、内筒を複数の内筒ユニットに分割し、各内筒ユニットの外周に雄ねじを、外筒の内周面にこの雄ねじと螺合する雌ねじを夫々刻設し、これらのねじのねじ切り方向を、内筒ユニットが解錠方向に回動したとき内方に移動するように設定すると共に、各内筒ユニットを夫々の間に隙間が生じないように外筒に螺合させるものである。
【０００５】
【発明が解決しようとする課題】
上記した本出願人の先の提案に係るシリンダ錠は、ピッキングが原理上不可能であり、しかもディスクシリンダ錠に限らずピンシリンダ錠、或いはレバータンブラー錠等あらゆる型式のシリンダ錠に適用し得るという利点がある反面、構造が少し複雑になる、という恨みが残る。
【０００６】
この発明は、従来のディスクタンブラー錠の構造を大きく変えないで、換言すれば僅かな構成の付加のみでピッキングを有効に防止できるようにしたディスクタンブラー錠を提供することを目的としている。
【０００７】
【課題を解決するための手段】
上記の目的を達成するため、請求項１に記載の発明は、中心軸に沿って鍵孔を形成した内筒と、この内筒と回動可能に嵌合し、その内周面に、その母線に沿い、かつ中心軸に関し対称的な一対の施錠用係止溝及び一対の解錠用係止溝とを形成した外筒とを有し、夫々シリンダ錠の鍵孔に垂直な複数枚のディスクタンブラーを内筒軸線方向に列設し、合鍵を鍵孔に挿入したとき合鍵の各鍵溝が対応するディスクタンブラーの両端をシアーラインに揃えるようにしたものにおいて、少なくとも１枚のディスクタンブラーの一端の施錠角度位置から解錠角度位置までの移動軌跡内に、当該ディスクタンブラーの一端が係入可能な凹陥部を形成し、以て、ピッキングにより両端をシアーラインに揃えられ、外筒内周面に拘束されつつ解錠方向に回動するディスクタンブラーを凹陥部に落込ませ、以後の内筒の回動を阻止することにより不正解錠を阻止するようにすると共に、この凹陥部の施錠用係止溝側の側部にシアーラインに連なる傾斜部を連設し、以て、内筒を施錠方向に回動させたとき、落とし溝に落込んだタンブラーを傾斜面との楔作用により内筒半径方向に駆動してその両端をシアーラインに揃えることができるようにしたことを特徴とする。
【０００８】
また、請求項２に記載の発明は、中心軸に沿って鍵孔を形成した内筒と、この内筒と回動可能に嵌合し、その内周面に、その母線に沿い、かつ中心軸に関し対称的な一対の施錠用係止溝と、この施錠用係止溝と角度位置を違えて形成された一対の解錠用係止溝とを形成した外筒とを有し、夫々シリンダ錠の鍵孔に垂直な複数枚のディスクタンブラーを内筒軸線方向に列設し、合鍵を鍵孔に挿入したとき合鍵の各鍵溝が対応するディスクタンブラーの両端をシアーラインに揃えるようにしたものにおいて、上記施錠用係止溝と解錠用係止溝の間にこれよりも浅い落とし溝を外筒内周面の母線に沿って形成し、以て、ピッキングにより両端をシアーラインに揃えられ、外筒内周面に拘束されつつ解錠方向に回動するディスクタンブラーを落とし溝に落込ませ、以後の内筒の回動を阻止することにより不正解錠を阻止するようにすると共に、この落とし溝の施錠用係止溝側の側面にシアーラインに連なる傾斜面を連設し、以て、内筒を施錠方向に回動させたとき、落とし溝に落込んだタンブラーを傾斜面との楔作用により内筒半径方向に駆動してその両端をシアーラインに揃えることができるようにしたことを特徴とする。
【０００９】
【発明の実施の形態】
以下この発明の実施例を図面を参照して説明する。
図１乃至図３はこの発明の第一実施例、すなわち請求項１に記載された発明の一実施例を示している。
【００１０】
これらの図において符号１は内筒を示し、図示の実施例における内筒１は、横断面小判形の棒状体にその軸線に沿って複数のスロット２、２を形成すると共にその中心軸に沿って鍵孔３を形成したものである。
【００１１】
各スロット２にはディスクタンブラー４が収納されており、夫々内筒１の半径方向に移動可能に案内されると共に、タンブラーばね５の弾力により、その一端（図１で上端）が鍵孔３から離間する方向に付勢されている。
【００１２】
なお、通常相互に隣接するディスクタンブラー４、４は逆向きに付勢されるので、図１に示すディスクタンブラーに隣接する他のディスクタンブラーはその下端が鍵孔４から離間する方向に付勢される。
【００１３】
そこで、ここではタンブラーばね５に付勢されて鍵孔４から離間する方の端部をディスクタンブラーの一端というものとする。
【００１４】
ディスクタンブラー錠は、その施錠状態では、タンブラーばね５の弾力により、各ディスクタンブラー４の一端が外筒６の内周面の施錠用係止溝７に係入している。
【００１５】
この施錠状態では内筒１を回すことができないので、例えば扉の解錠ができず、一方、合鍵（図示せず）が鍵孔３に挿入されたときは、合鍵に形成された鍵溝が対応する各ディスクタンブラーと係合してその一端及び他端をシアーライン９に整合させて解錠するのは周知の事項である。
【００１６】
なお、通常ディスクタンブラー錠は合鍵を鍵孔に挿入してから１８０度回す型式が多いから、施錠用係止溝７と解錠用係止溝８とは重なり合う。
【００１７】
この発明の特徴的な構成事項は、少なくとも１枚のディスクタンブラー４の一端の施錠角度位置（図１で時計盤面に換算して１２時の角度位置）から解錠角度位置（図１で時計盤面に換算して６時の角度位置）までの移動軌跡内に、当該ディスクタンブラー４の一端が係入可能な凹陥部１１を形成すると共に、この凹陥部１１の施錠用係止溝７側の側部にシアーライン９に連なる傾斜部１３を連設したことである。
【００１８】
この傾斜部１３は、図１に示すように、内筒１の解錠方向の回動時、ディスクタンブラーの一端と摺接してこれを凹陥部１１の底部（外端部）迄滑らかに案内するものである。
【００１９】
この凹陥部１１は、図１に示すように外筒６を貫通する開口であってもよいし、或いは外筒６を貫通しない（図４参照）有底のものであってもよい。
【００２０】
また、この凹陥部１１及び傾斜部１３の外筒軸線方向の寸法は複数枚のディスクタンブラー４、４に跨がるものであってもよいし、或いは１枚のディスクタンブラー分の短いものであってもよい。
【００２１】
更にまた、この凹陥部１１の外筒６の軸線回りの角度位置は、一箇所であってもよいし、鍵孔に関し対称的に設ける場合も含め、複数箇所であってもよい。
【００２２】
図示の実施例では、外筒６の中心軸から凹陥部１１及び傾斜部１３を見込む角度がかなり大きく、これらを複数箇所設けることは困難であるかの如くであるが、ディスクタンブラー４の一端の幅を小さくすれば可能になる。
【００２３】
上記のように構成されたこの発明の第一実施例によるディスクタンブラー錠は、所謂ピッキングにより全ディスクタンブラー４、４の両端をシアーラインに整合させることができ、図２に示すように、鍵孔３に合鍵を挿入しない状態で、内筒１を解錠方向（図２で反時計方向）に回動させることができる。
【００２４】
しかしながら、更に解錠方向に内筒１を回動させると、ディスクタンブラー４の一端が傾斜部１３に案内されて凹陥部１１の解錠用係止溝８側の側部に衝接すると、図３に示すように、内筒１をそれ以上解錠方向に回動させることができない。
【００２５】
つまり、ピッキングにより全タンブラーの一端をシアーライン９に揃え、内筒１を解錠方向に回動可能にしても、すぐに内筒が回らなくなるので、不正解錠が防止される。
【００２６】
不正解錠を試みた者の内事情を知らない者は吃驚して更なるピッキングを諦めてしまうし、事情を知っている、すなわちこのディスクタンブラー錠の原理を知っている者でもその角度位置で再度ピッキングをする意欲を失い退散する。
【００２７】
不正解錠を試みた者の退散後鍵孔３に例えば硬貨等を差込み、内筒を施錠方向に回せば、傾斜部１３とディスクタンブラー４の一端との間に生じる楔作用により凹陥部１１に落込んだ全ディスクタンブラー４、４はタンブラーばね５の弾力に抗して両端をシアーライン９に揃える位置に復帰し、図１に示す施錠角度位置に戻るので、以後ピッキングが無かったかのように通常の施解錠を行うことができる。
【００２８】
図４はこの発明の第二実施例、すなわち、請求項２に記載の発明の一実施例を示し、この第二実施例においては、施錠用係止溝７と解錠用係止溝８との間に、これらより浅い落とし溝１２、及びこの落とし溝１２の施錠用係止溝７側の側面に連設され、シアーライン９に連なる傾斜面１３がが全ディスクタンブラー４、４に跨がるように形成されている。
【００２９】
この第二実施例によるディスクタンブラー錠は、前記第一実施例によるディスクタンブラー錠において浅い凹陥部１１を全ディスクタンブラー４、４に跨がるように形成した場合に相当し、ディスクタンブラー４、４が落とし溝１２と整合した状態で全タンブラーが落とし溝１２と係合するのでそれ以上の不正解錠が不可能になる。
【００３０】
また、不正解錠を有効に阻止した後硬貨や合鍵等で内筒１を施錠角度位置に復帰させる作用も含め、その作用効果も第一実施例のそれと同様であるから更に詳細な説明は省略する。
【００３１】
この第二実施例によるディスクタンブラー錠の不正解錠防止機構は、落とし溝１２及び傾斜面１３を全タンブラーに跨がるように形成するので、比較的製造が容易である、という別の利点が生じる。
【００３２】
なお、図示の実施例では凹陥部１１又は落とし溝１２を係止溝７（８）に関し線対称に設けてあるが、これはディスクタンブラー錠の解錠方向が扉の開き勝手によって変るからその変化に対応できるようにした迄で、この発明の必須の構成ではない。
【００３３】
【発明の効果】
以上の説明から明らかなように、この発明は、施錠用係止溝と解錠用係止溝との間に、少なくとも１枚のディスクタンブラーと係合する凹陥部、或いは落とし溝を形成する、という簡単な構成の付加で、ピッキングによる不正解錠の途中で内筒の回動を止めてしまい、それ以上の回動を許さずに結局不正解錠を防止できる。
【００３４】
また、凹陥部や落とし溝の施錠用係止溝側の側部に傾斜部や傾斜面を形成したので、ピッキングによる不正解錠を阻止した後硬貨等で内筒を施錠角度位置に容易に復帰させることができる、等種々の効果を奏する。
【図面の簡単な説明】
【図１】この発明の第一実施例によるディスクシリンダ錠の線図的断面図で、施錠状態を示す。
【図２】この発明の第一実施例によるディスクシリンダ錠の線図的断面図で、ピッキング後の初期の回動時を示す。
【図３】この発明の第一実施例によるディスクシリンダ錠の線図的断面図で、ピッキング後ディスクタンブラーが凹陥部に落込んでそれ以上の回動が不可能になった状態を示す。
【図４】この発明の第二実施例によるディスクシリンダ錠の線図的断面図で、ピッキング後ディスクタンブラーが落とし溝に落込んでそれ以上の回動が不可能になった状態を示す。
【符号の説明】
１  内筒
３  鍵孔
４  ディスクタンブラー
５  タンブラーばね
６  外筒
７  施錠用係止溝
８  解錠用係止溝
９  シアーライン
１１  凹陥部
１２  落とし溝
１３  傾斜部（傾斜面）
【図１】
0004202465.tif 000002
【図２】
0004202465.tif 000003
【図３】
0004202465.tif 000004
【図４】
0004202465.tif 000005